(57)【特許請求の範囲】
【請求項１】
壁に対して手摺り棒を取付けるための手摺り金具であって、
筒状軸部を有し、その軸部の軸方向一端が前記壁に取付けられ、前記一端から他端へ向けて所定距離離れた部位の周方向に部分的に外側へ突出形成した１または２以上の抜止め部を有する位置決め部材と、
前記軸部の内側を挿通して前記壁に前記位置決め部材を回動可能に取付ける第１状態と、増し締めにより前記位置決め部材を前記壁に回動不能に固定する第２状態とにするための取付用ビスと、
前記手摺り棒を取付けるための手摺り棒取付部、前記壁に当接する壁当接面を有しこの壁当接面を前記壁に当接させて前記壁に取付けられる壁取付部、前記壁当接面を通って前記壁取付部を貫通するように設けられ、前記軸部を挿通かつ回動させる軸部挿通孔とその軸部挿通孔の縁部に形成されていて前記抜止め部を挿通させる切欠部とを有する取付孔、および、前記軸部挿通孔の縁部であって前記切欠部の隣に設けられ、前記切欠部から挿通させた前記抜止め部の所定方向への回動により前記抜止め部に係止して抜止めされる被抜止め部を有する手摺り金具本体と、
前記壁取付部を前記壁に脱着可能に取付ける壁固定用ビスとを具備することを特徴とする手摺り金具。
【請求項２】
請求項１に記載の手摺り金具において、
前記位置決め部材は、前記抜止め部を軸対称に一対備えることを特徴とする手摺り金具。
【請求項３】
請求項２に記載の手摺り金具において、
前記被抜止め部は前記位置決め部材の前記所定方向への回動に伴って前記壁当接面に対して高くなる傾斜面または階段面として形成されていることを特徴とする手摺り金具。
【請求項４】
請求項３に記載の手摺り金具において、
前記被抜止め部は、前記傾斜面または前記階段面の前記切欠部とは反対側に、前記壁当接面に対する高さを低くして前記抜止め部をロックするように形成されたロック穴を有することを特徴とする手摺り金具。
【請求項５】
請求項１乃至４のいずれかに記載の手摺り金具において、
前記位置決め部材は、前記軸部の他端側にマイナス溝を有することを特徴とする手摺り金具。
【請求項６】
請求項１乃至５のいずれかに記載の手摺り金具と、
前記手摺り金具の手摺り金具本体が前記壁に取付けられた状態で、前記手摺り棒取付部に取付けられる手摺り棒と、
前記手摺り棒を前記手摺り棒取付部に固定する手摺り固定用ビスとを具備することを特徴とする手摺り装置。
【請求項７】
請求項６に記載の手摺り装置の取付方法であって、
前記壁の複数の位置のそれぞれに、位置決め部材を取付用ビスにより第１状態に取付ける工程と、
前記第１状態の複数の前記位置決め部材のそれぞれに対し、各抜止め部を、前記手摺り金具本体の前記取付孔の切欠部へ挿通した後に、各位置決め部材を回動させて前記抜止め部を前記被抜止め部に係止し、この係止により各手摺り金具本体のそれぞれを対応する位置決め部材に取付ける工程と、
各手摺り金具本体の手摺り棒取付部に手摺り棒を手摺り固定用ビスにより連結して仮固
定する工程と、
仮固定された手摺り金具本体及び手摺り棒を各位置決め部材から取り外す工程と、
取り外した手摺り金具本体の各々を各位置決め部材に再度取付けて各取付用ビスを増し締めして前記第２状態にするとともに、各手摺り金具本体の前記壁取付部を前記壁に前記壁固定用ビスにより脱着可能に取付けて本固定を行う工程とを含む手摺り装置の取付方法。
【発明の詳細な説明】
【技術分野】
【０００１】
本発明は、建物の壁に手摺り棒を取付けるために用いられる手摺り金具、その手摺り金具を有する手摺り装置および手摺り装置の取付方法に関する。
【背景技術】
【０００２】
手摺り装置として、固定タイプと着脱タイプとが用いられている。固定タイプの手摺り装置は、手摺りの両端部に一体的に手摺り金具が取付けられた構成となっていて、その手摺り金具を壁に対してビス等で固定するように用いられる。一方、着脱タイプの手摺り装置は、手摺りと手摺り金具とが分離された構成となっていて、壁に手摺り金具を取付けるとともに、その手摺り金具に手摺りを取付けるように用いられる（例えば非特許文献１等参照）。
【先行技術文献】
【非特許文献】
【０００３】
【非特許文献１】ｈｔｔｐ：／／ｗｗｗ．ｏｊ−ｎａｉｇａｉ．ｃｏ．ｊｐ／ｈａｎｄｈｔｍｌ  製品紹介  ＨＡＮＤＲＡＩＬ  ＳＹＳＴＥＭ
【発明の概要】
【発明が解決しようとする課題】
【０００４】
ところで、上述した手摺り装置の壁への取付け（仮固定）は、両タイプ共、一般的に壁にクロスを貼る前に行われる。そして、クロスを貼る前に手摺り装置は壁から一旦取外され、クロスを貼った後に再度取付けられる。つまり、クロスを貼る作業と、手摺り装置を壁に取付ける作業とは、別の業者により相前後して行われるからである。したがって、手摺り装置は、その取付け後に取外し、更に取外した後に取付けるという作業を要し、取付け・取外し作業が煩わしいという難点があった。
【０００５】
本発明は、このような従来技術の課題を解決するためになされたものであり、取付け・取外しを簡単に行うことができる手摺り金具、手摺り装置および手摺り装置の取付方法を提供することを目的とする。
【課題を解決するための手段】
【０００６】
本発明の請求項１に記載の手摺り金具は、壁に対して手摺り棒を取付けるための手摺り金具であって、筒状軸部を有し、その軸部の軸方向一端が前記壁に取付けられ、前記一端から他端へ向けて所定距離離れた部位の周方向に部分的に外側へ突出形成した１または２以上の抜止め部を有する位置決め部材と、前記軸部の内側を挿通して前記壁に前記位置決め部材を回動可能に取付ける第１状態と、増し締めにより前記位置決め部材を前記壁に回動不能に固定する第２状態とにするための取付用ビスと、前記手摺り棒を取付けるための手摺り棒取付部、前記壁に当接する壁当接面を有しこの壁当接面を前記壁に当接させて前記壁に取付けられる壁取付部、前記壁当接面を通って前記壁取付部を貫通するように設けられ、前記軸部を挿通かつ回動させる軸部挿通孔とその軸部挿通孔の縁部に形成されていて前記抜止め部を挿通させる切欠部とを有する取付孔、および、前記軸部挿通孔の縁部であって前記切欠部の隣に設けられ、前記切欠部から挿通させた前記抜止め部の所定方向への回動により前記抜止め部に係止して抜止めされる被抜止め部を有する手摺り金具本体と、前記壁取付部を前記壁に脱着可能に取付ける壁固定用ビスとを具備することを特徴とする。
【０００７】
本発明の請求項２に記載の手摺り金具は、請求項１に記載の手摺り金具において、前記位置決め部材は、前記抜止め部を軸対称に一対備えることを特徴とする。
【０００８】
本発明の請求項３に記載の手摺り金具は、請求項２に記載の手摺り金具において、前記被抜止め部は前記位置決め部材の前記所定方向への回動に伴って前記壁当接面に対して高くなる傾斜面または階段面として形成されていることを特徴とする。
【０００９】
本発明の請求項４に記載の手摺り金具は、請求項３に記載の手摺り金具において、前記被抜止め部は、前記傾斜面または前記階段面の前記切欠部とは反対側に、前記壁当接面に対する高さを低くして前記抜止め部をロックするように形成されたロック穴を有することを特徴とする。
【００１０】
本発明の請求項５に記載の手摺り金具は、請求項１乃至４のいずれかに記載の手摺り金具において、前記位置決め部材は、前記軸部の他端側にマイナス溝を有することを特徴とする。
【００１１】
本発明の請求項６に記載の手摺り装置は、請求項１乃至５のいずれかに記載の手摺り金具と、前記手摺り金具の手摺り金具本体が前記壁に取付けられた状態で、前記手摺り棒取付部に取付けられる手摺り棒と、前記手摺り棒を前記手摺り棒取付部に固定する手摺り固定用ビスとを具備することを特徴とする。
【００１２】
本発明の請求項７に記載の手摺り装置の取付方法は、請求項６に記載の手摺り装置の取付方法であって、前記壁の複数の位置のそれぞれに、位置決め部材を取付用ビスにより第１状態に取付ける工程と、前記第１状態の複数の前記位置決め部材のそれぞれに対し、各抜止め部を、前記手摺り金具本体の前記取付孔の切欠部へ挿通した後に、各位置決め部材を回動させて前記抜止め部を前記被抜止め部に係止し、この係止により各手摺り金具本体のそれぞれを対応する位置決め部材に取付ける工程と、各手摺り金具本体の手摺り棒取付部に手摺り棒を手摺り固定用ビスにより連結して仮固定する工程と、仮固定された手摺り金具本体及び手摺り棒を各位置決め部材から取り外す工程と、取り外した手摺り金具本体の各々を各位置決め部材に再度取付けて各取付用ビスを増し締めして前記第２状態にするとともに、各手摺り金具本体の前記壁取付部を前記壁に前記壁固定用ビスにより脱着可能に取付けて本固定を行う工程とを含む。
【発明の効果】
【００１３】
本発明の手摺り金具にあっては、壁の複数位置のそれぞれに位置決め部材を取付用ビスにより第１状態に取付け、各位置決め部材の抜止め部と手摺り金具本体における取付孔の切欠部とを一致させ、手摺り金具本体を壁側へ押し付ける。これにより抜止め部が切欠部を挿通して手摺り金具本体の壁当接面が壁に当接する。この状態において、位置決め部材を回動させて抜止め部を手摺り金具本体の被抜止め部に係止させる。これにより手摺り金具本体が抜止め状態で壁に取付けられる。続いて、手摺り装置を構成する手摺り棒及び手摺り固定用ビスを用い、各手摺り棒取付部に手摺り棒を手摺り固定用ビスにより連結して仮固定する。この仮固定において、壁に対して手摺り棒が所望の取付け状態に一旦取付けられる。その後、位置決め部材は壁に取付けたままで、手摺り棒及び手摺り金具本体を、位置決め部材から取り外す。この取外しに伴って壁に対し、例えばクロス貼り等の作業を、手摺り棒及び手摺り金具本体に邪魔されずに行うことが可能となる。前記作業が終了するなどし、再度取付け時期に達すると、取り外した手摺り金具本体のそれぞれを、その取付孔の切欠部に、壁に取付けたままの位置決め部材の抜止め部を一致させて挿入し、位置決め部材を回動させて抜止め部を手摺り金具本体の被抜止め部に係止させて取付ける。加えて、取付用ビスを増し締めして位置決め部材を壁に回動不能に固定して第２状態にし、かつ、各手摺り金具本体の壁取付部を壁に壁固定用ビスにより脱着可能に取付けて本固定を行う。このようにして、本発明の手摺り装置の取付方法が完了する。
【００１４】
したがって、本発明による場合には、位置決め部材は壁に一旦取付ければ取外すことがなく、また、その位置決め部材に対して手摺り金具本体の取付け・取外しを行うものの、各種ビス（取付用ビス、手摺り固定用ビス、壁固定用ビス）の取付けを１回行えばよいので、取付け、取外しを簡単に行うことができる。
【００１５】
このとき、請求項２のように抜止め部を軸対称に一対備える位置決め部材にあっては、抜止め部が１個の場合よりも手摺り金具本体を安定して抜止めすることができる。
【００１６】
また、請求項３の場合には、位置決め部材の抜止め部と手摺り金具本体の取付孔の切欠部とを一致させて取付孔に抜止め部を挿通させ、その後、抜止め部を所定方向に回動させると、壁当接面に対して高くなる傾斜面または階段面により抜止め部が壁から離れるように押圧力を受けるため、位置決め部材に対して手摺り金具本体が抜止め部の回動に伴ってしっかりと係止されるようになる。更に、請求項４の場合には、抜止め部を所定方向に回動させ、抜止め部を被抜止め部のロック穴に入れることにより、手摺り金具本体が位置決め部材に脱落することなく取付けることが可能になる。更にまた、請求項５のように、位置決め部材における軸部の他端側にマイナス溝を形成した構成とすることにより、例えば硬貨をマイナス溝に入れることにより、マイナスドライバーに代えて硬貨により位置決め部材を回動させることが可能になる。
【図面の簡単な説明】
【００１７】
【図１】本発明の一実施形態に係る手摺り装置を壁に取付けた状態を示す正面図である。
【図２】本発明の一実施形態に係る手摺り金具を示す右側面図である。
【図３】本発明の一実施形態に係る手摺り金具を示す分解斜視図である。
【図４】位置決め部材を示す図であり、（ａ）はその正面図、（ｂ）は（ａ）のＢ−Ｂ線による断面図、（ｃ）は（ａ）のＣ−Ｃ線による断面図、（ｄ）はその右側面図、（ｅ）は背面図である。
【図５】手摺り金具本体を示す図であり、（ａ）はその正面図、（ｂ）は右側面図、（ｃ）は（ａ）の縦断面図である。
【図６】本発明の一実施形態に係る手摺り装置の取付け手順の説明図である。
【図７】本発明の一実施形態に係る手摺り装置の取付け手順の説明図である。
【発明を実施するための形態】
【００１８】
以下に、本発明を具体的に説明する。
【００１９】
図１は本実施形態に係る手摺り装置を壁に取付けた状態を示す正面図であり、図２は本実施形態に係る手摺り金具を示す右側面図、図３はその手摺り金具を示す分解斜視図、図４は手摺り金具を構成する位置決め部材を示す図、図５は手摺り金具を構成する手摺り金具本体を示す図である。
【００２０】
この手摺り装置１は、壁２に取付けた手摺り金具１０と、この手摺り金具１０に手摺り固定用ビス３を介して取付けられた手摺り棒４とを有する（図１参照）。上記手摺り金具１０は、手摺り金具１０の位置を決めるための位置決め部材２０と、この位置決め部材２０を取付けるための取付用ビス１１と、位置決め部材２０に取付けられる手摺り金具本体３０と、この手摺り金具本体３０を位置決め部材２０とともに固定する壁固定用ビス１２とを具備する。
【００２１】
この手摺り装置１にあっては、壁２の複数位置のそれぞれに取付用ビス１１を介して位置決め部材２０を回動可能に取付け、各位置決め部材２０のそれぞれに手摺り金具本体３０を取付けた状態で、各手摺り金具本体３０に手摺り棒４を固定用ビス３により連結した仮固定の状態にし、その後、各位置決め部材２０を壁２に残したまま、固定用ビス３により連結された手摺り棒４及び各手摺り金具本体３０を取外し、その後に再度、取り外した各手摺り金具本体３０を壁２に残したままの各位置決め部材２０に取付け、取付用ビス１１を増し締めして各位置決め部材２０を回動不能に固定し、かつ壁固定用ビス１２で手摺り金具本体３０を壁２に固定することで、本固定が行われる。
【００２２】
上記位置決め部材２０は、筒状をした軸部２１を有し、その軸部２１は軸方向の一端側（壁側）から他端側（前側）へ向けて大径部２２、中間部２３、縮径部２４を備え、一端側の大径部２２を壁２に向けて取付けられる。縮径部２４は中間部２３側を大径とし、反対側を小径として形成されている。中間部２３の途中から縮径部２４の前側端までにわたる側面には、一対の抜止め部２５が外側へ突出形成されている。両抜止め部２５は軸心に対して互いに反対側となる位置に設けられている。
【００２３】
大径部２２は、中間部２３よりも大径に形成され、中間部２３は抜止め部２５を除いて同一径として形成されている。他端側の端面には、両抜止め部２５を通るようにマイナス溝２６が設けられており、このマイナス溝２６は軸部２１および両抜止め部２５に形成されている。このマイナス溝２６は、硬貨、例えば１０円硬貨や１００円硬貨などの周縁部が挿入可能な幅寸法に形成されている。
【００２４】
更に、軸部２１は、内側にビス止め部２７を有し、ビス止め部２７から他端側は、ビス止め部２７から一端側よりも大径であって、取付用ビス１１の頭部１１ａが入る大きさに形成されていて、他端側から一端側へ向けてビス１１を挿通して壁２にビス１１の先端側を螺入することにより取付けられる。
【００２５】
位置決め部材２０の取付け状態としては、位置決め部材２０を回動可能に取付ける第１状態と、位置決め部材２０を回動不能に取付ける第２状態とが選択される。上述した本固定よりも前は第１状態が選択され、本固定以降は第２状態が選択される。第１状態はビス１１の頭部１１ａをビス止め部２７に非当接とすることで得られ、一方の第２状態はビス１１の頭部１１ａをビス止め部２７に当接させることで得られる。
【００２６】
このように壁２に取付けられた位置決め部材２０には、手摺り金具本体３０が取付けられる。手摺り金具本体３０は、壁２に取付けられる正面視で矩形状をした壁取付部３１と、壁２に取付けられた状態において、この壁取付部３１よりも前側かつ上側に位置する平面視で矩形状をした手摺り棒取付部３２と、これら壁取付部３１と手摺り棒取付部３２とを一体的に連結する断面コの字状の連結部３３とを有する。連結部３３は、壁取付部３１の天井部３１ａと手摺り棒取付部３２の壁２側の端部３２ａとを連結する円弧状支持部３３ａと、壁取付部３１の両側の各側面３１ｂ、３１ｃと手摺り棒取付部３２の両側の各側面３２ｂ、３２ｃとを連結し、円弧状支持部３３ａの両縁と一体的に設けられた両側の側面支持部３３ｂ、３３ｃとにより構成される。連結部３３の前側の開口は、カバー３４により覆われる。
【００２７】
手摺り棒取付部３２の上面は、凹状に窪んでいて、その曲率半径は手摺り棒４の半径と同一に設定されている。手摺り棒取付部３２には、手摺り棒４を取付けるための手摺り固定用ビス３を挿通させるビス挿通孔３６が形成されている。
【００２８】
壁取付部３１は、その背面側に壁２と当接させるように設けた壁当接面３７と、位置決め部材２０の一対の抜止め部２５及び中間部２３を挿通させる取付孔４０と、壁固定用ビス１２を挿通させるビス通し孔３５とを有する。
【００２９】
壁当接面３７は平坦に形成されていて、壁２に安定して取付け得るようになっている。ビス通し孔３５は、取付孔４０の少し上側に、図示例では２つ設けられている。このビス通し孔３５の数は、ビス１２を用いる本数に応じて設定すればよい。
【００３０】
上記取付孔４０は、中間部２３を挿通させるとともに回動させるための円形をした軸部挿通孔４１と、軸部挿通孔４１の縁部に繋がって形成されていて、両抜止め部２５を挿通させる切欠部４２とを有するものである。壁取付部３１における取付孔４０の壁当接面３７側の周縁部分４３は、壁当接面３７から少し凹状に窪んでいて、その凹状部４３には大径部２２が入る。凹状部４３の深さ寸法は、大径部２２の軸方向長さの寸法にほぼ一致していて、壁当接面３７を壁２に支障なく当接させ得るようになっている。
【００３１】
取付孔４０の周りには、各抜止め部２５に係止して抜止めされる被抜止め部４４が設けられている。被抜止め部４４は、軸部挿通孔４１の縁部であって、各切欠部４２の隣に形成されている。被抜止め部４４と切欠部４２の位置関係は、手摺り金具本体３０を前側から見た状態で、切欠部４２の時計回り（以降、単に「時計回り」と言う。）側に被抜止め部４４が設けられている。よって、抜止め部２５を切欠部４２に一致させて手摺り金具本体３０を壁側に押し込むと、壁当接面３７が壁２に当接するとともに、抜止め部２５が切欠部４２を通過する。その後、位置決め部材２０を前記時計回りに回動させると、抜止め部２５が被抜止め部４４に係止して抜止めされる。
【００３２】
また、被抜止め部４４は、複数、図示例では２つの階段面４５、４６と、ロック穴４７とを有する。切欠部４２に近い側の階段面４５は、遠い側の階段面４６よりも壁当接面３７に対する高さが低く設定されている。ロック穴４７は、高い方の階段面４６の切欠部４２とは反対側に設けられ、階段面４６よりも壁当接面３７に対する高さが低く設定されている。よって、抜止め部２５は、切欠部４２を挿通させた後に、前記時計回りに回動させると、階段面４５、階段面４６を経てロック穴４７に入る。このロック穴４７は、前記時計回りとは反対側の階段面４６よりも低く、前記時計回り側が高い壁となっているので、第１状態においては位置決め部材２０及びこれに抜止めされた手摺り金具本体３０が壁２と直交する方向に若干移動可能であっても、抜止め部２５がロック穴４７から容易に抜け出ないようになり、一方、第２状態においては前記位置決め部材２０及び手摺り金具本体３０が壁２と直交する方向に移動しないので、抜止め部２５がロック穴４７に入ることでロックされる。なお、階段面４６の高さは、第１状態において抜止め部２５が階段面４６を通過することができ、かつ第２状態において抜止め部２５がロック穴４７から抜け出ない寸法に調整しておく。
【００３３】
また、取付孔４０が壁当接面３７を通って壁取付部３１を貫通するように設けられているので、上述したように手摺り金具本体３０が位置決め部材２０に係止されることにより壁当接面３７が壁２に確実に当接する。
【００３４】
手摺り金具本体３０の壁取付部３１を壁２に取付けた状態において、手摺り棒取付部３２は、上述したように壁取付部３１よりも前側かつ上側に位置し、その上面に手摺り棒４が取付けられる。この取付けは、前記ビス挿通孔３６を介して固定用ビス３を手摺り棒４に螺着させることにより行われる。
【００３５】
このように構成された手摺り装置１の取付方法につき説明する。
【００３６】
まず、図６に示すように、壁２の複数位置Ａのそれぞれに、取付用ビス１１を介して位置決め部材２０を回動可能に、つまり第１状態に取付ける。この第１状態においては、位置決め部材２０は壁２と直交する方向において若干移動可能にする。上記ビス１１の取付けは、ドライバーにより行われる。
【００３７】
次に、各位置決め部材２０のそれぞれに手摺り金具本体３０を取付ける。この取付けは、位置決め部材２０の抜止め部２５と手摺り金具本体３０における取付孔４０の切欠部４２とを一致させて、手摺り金具本体３０を壁２側へ押し込む。これにより壁当接面３７が壁２に当接するとともに、抜止め部２５が切欠部４２を貫通する。その後、マイナス溝２６に、例えば硬貨などを入れて位置決め部材２０を時計回りに回動させて抜止め部２５を被抜止め部４４に係止させて抜止め状態にするとともにロック穴４７に入れる。但し、このとき、位置決め部材２０は第１状態であるため、抜止め部２５はロック穴４７から容易に抜け出ない。これにより各位置決め部材２０のそれぞれに手摺り金具本体３０が取付けられる。なお、抜止め部２５を切欠部４２からロック穴４７まで回転させる角度は約９０゜である。
【００３８】
次に、各手摺り金具本体３０の手摺り棒取付部３２に手摺り棒４を載せる。この手摺り棒４の重量により各手摺り金具本体３０は自然に整列する。つまり、取付用ビス１１の回りをロック状態の位置決め部材２０及び手摺り金具本体３０が適当に回動して、手摺り棒取付部３２の上面と手摺り棒４とが平行になる。続いて、固定用ビス３により各手摺り金具本体３０と手摺り棒４とを連結して仮固定する。このビス３の取付けは、ドライバーにより行われる。
【００３９】
その後、マイナス溝２６に、例えば硬貨などを入れて位置決め部材２０を反時計回りに回動させ、各位置決め部材２０を壁２に残したまま、固定用ビス３により連結された手摺り棒４及び各手摺り金具本体３０を取外す。これにより、各位置決め部材２０の周りは、手摺り棒４及び各手摺り金具本体３０が無いため、壁２に対し、例えばクロス貼り等の作業を、手摺り棒４及び手摺り金具本体３０に邪魔されずに行うことが可能となる。
【００４０】
しかる後、前記作業が終了するなどして再度取付け時期に達すると、取り外した手摺り金具本体３０のそれぞれを、その取付孔４０に、壁２に取付けたままの位置決め部材２０の抜止め部２５を一致させて挿入し（図７（ａ）参照）、マイナス溝２６に、例えば硬貨などを入れて位置決め部材２０を時計回りに回動させて抜止め部２５を手摺り金具本体３０の被抜止め部４４に係止させて取付け（図７（ｂ）参照）、更に位置決め部材２０を時計回りに回動させてロック穴４７に抜止め部２５を入れる（図７（ｃ）参照）。
【００４１】
加えて、ドライバーなどを用いて取付用ビス１１を増し締めして位置決め部材２０を壁２に回動不能に固定して第２状態にし、かつ、各手摺り金具本体３０の壁取付部３１を壁２に壁固定用ビス１２により脱着可能に取付けて本固定を行う。この本固定においては、増し締めした取付用ビス１１と壁固定用ビス１２により手摺り金具本体３０が壁２に第２状態に固定されているので、壁２と直交する方向において不動状態となっていて、抜止め部２５がロック穴４７に確実に保持される。このため、手摺り金具本体３０が外部から強い衝撃を受けても抜止め部２５がロック穴４７から抜け出ることがなく、安全性を確保することが可能になる。このようにして、手摺り装置１の取付方法が完了する。なお、ビス１２の取付けは、ドライバーにより行われる。
【００４２】
したがって、本実施形態にあっては、位置決め部材２０は壁２に一旦取付ければ取外すことがなく、また、その位置決め部材２０に対して手摺り金具本体３０の取付け・取外しを行うものの、各種ビス（取付用ビス１１、手摺り固定用ビス３、壁固定用ビス１２）の取付けを１回行えばよいので、取付け、取外しを簡単に行うことができる。
【００４３】
なお、上述した実施形態では位置決め部材２０に一対の抜止め部２５を設けているが、本発明はこれに限らず、位置決め部材２０に抜止め部２５を１または３以上の数で設けるようにしてもよい。
【００４４】
また、上述した実施形態では被抜止め部４４に階段面４５、４６を設けているが、本発明はこれに限らず、被抜止め部４４に傾斜面を設けてもよい。その傾斜面としては、切欠部から遠ざかるに伴って壁当接面３７からの高さが高くなるものが好ましい。
【符号の説明】
【００４５】
１    手摺り装置
２    壁
３    手摺り固定用ビス
４    手摺り棒
１０    手摺り金具
１１    取付用ビス
１２    壁固定用ビス
２０    位置決め部材
２１    軸部
２５    抜止め部
２６    マイナス溝
３０    手摺り金具本体
３１    壁取付部
３２    手摺り棒取付部
３７    壁当接面
４０    取付孔
４１    軸部挿通孔
４２    切欠部
４４    被抜止め部
４５、４６    階段面
４７    ロック穴
【図１】
0005432609.tif 000002
【図２】
0005432609.tif 000003
【図３】
0005432609.tif 000004
【図４】
0005432609.tif 000005
【図５】
0005432609.tif 000006
【図６】
0005432609.tif 000007
【図７】
0005432609.tif 000008